(57)【要約】      （修正有）【課題】構造が簡単で邪魔にならず、建物本体を傷つけることなく容易に窓際へ設置することができ、窓際の装飾効果が高い窓際装飾用枠装置を提供する。【解決手段】窓の室内側における方形空間へ嵌め込まれる方形の枠装置であり、上下の横枠１５，１６と左右の縦枠１７，１８を方形に組み、その各隅部を隅部結合部材で結合し、方形枠体１２を形成する。上横枠１５の下面と下横枠１６の上面に複数のワイヤ係止部材１４を対向して取り付け、これらにワイヤ１３を張設する。上横枠の外面に接着部材４６、下横枠の外面にクッション材４７を取付け、窓に固定する。プランターの植物をこの窓際装飾用枠装置のワイヤに伝わらせると窓際緑化装置となる。【選択図】図２
0003200812.tif 000002
【実用新案登録請求の範囲】
【請求項１】
建物の窓の室内側であって上方部材の下面と左右部材の側面及び下方部材の上面とで形成される方形空間へ、室内側から嵌め込まれて取り付けられる方形の枠装置であって、
上下の横枠及び左右の縦枠と、隅部結合部材と、ワイヤ係止部材及びワイヤとを備え、
横枠と縦枠の端部が構成する隅部を前記隅部結合部材で結合して方形の枠体とし、
枠体の上横枠の下面と下横枠の上面にそれぞれ複数のワイヤ係止部材を対向して取り付け、
上下の対向したワイヤ係止部材間に前記ワイヤをそれぞれ張設してあり、
対となる上下の横枠、対となる左右の縦枠の少なくともいずれかの前記対の枠材外周面に、前記方形空間を形成する上下部材あるいは左右部材へ固定するための接着部材を取り付けてある、
ことを特徴とした窓際装飾用枠装置。
【請求項２】
前記上下の横枠あるいは左右の縦枠は、前記方形空間側となる内面にレール溝が形成され、
前記ワイヤ係止部材は、ワイヤ係止部を前記方形空間側としてレール溝に配置され、レール溝に沿っての移動と移動位置での固定が可能とされていることを特徴とした請求項１に記載の窓際装飾用枠装置。
【請求項３】
前記横材と縦材は中空であって、少なくとも横材は前記方形空間側に横材の長手方向に沿ったスリットが形成され、このスリットと両側のリブとで前記レール溝が形成されており、
前記隅部結合部材は、縦部分と横部分が一体で直角をなす金具であり、縦部分及び横部分のそれぞれにネジ孔が形成されており、
隅部結合部材の縦部分を縦枠の中空部へ挿入し、横部分を横枠の中空部へ挿入し、前記ネジ孔へネジを螺合して、前記隅部結合部材により横枠と縦枠を結合してあることを特徴とした請求項２に記載の窓際装飾用枠装置。
【請求項４】
前記隅部結合部材は、縦部分及び横部分の横断面が内面側で突条とその基部の両側に肩部を備えた凸形となる形状であり、突条の幅寸法が前記スリットの幅にほぼ等しく、突出高さが前記両側のリブの肉厚に略等しく、隅部結合部材の縦部分を縦材の中空部へ挿入して前記突条を前記スリット内に配置し、突条の両側の肩部を前記両側のリブ裏面に係合させ、横部分を横材の中空部へ挿入して前記突条を前記スリット内に配置し、突条の両側の肩部を前記両側のリブ裏面に係合させ、前記ネジ孔へネジを螺合して、前記隅部結合部材により横枠と縦枠を結合してあることを特徴とした請求項３に記載の窓際装飾用枠装置。
【請求項５】
請求項１〜４のいずれかに記載の窓際装飾用枠装置にプランターを組み合わせ、プランターの植物を窓際装飾用枠装置の前記ワイヤに伝わらせることを特徴とした窓際緑化装置。
【考案の詳細な説明】
【技術分野】
【０００１】
本考案は、建物における窓の室内側に嵌め込んで設置する窓際装飾用枠装置及びこの枠装置を用いた窓際緑化装置に関する。
【背景技術】
【０００２】
近年、窓から太陽光が進入するのを防ぎ、夏季の電力消費量を節減するために、蔓性植物を栽培して窓を覆うことが広く行われている。しかし、ビルディングの上層階では窓の近くで植物を栽培するのが難しい。一方、既存建物の窓際に植物を植えるための構造を設けるには工事が必要で費用がかさむ。
別の視点で建物の開口（窓）は、彩光ばかりでなく、室内側の景観や室外側からの景観に大きな影響がある。室内側の景観はカーテンやブラインドあるいは窓際に置かれる鉢植の観葉植物などに左右され、室外側からの景観は、窓際に取付ける装飾品やポスターで影響を受ける。しかし、窓ガラスにポスターや装飾品を直接貼り付けると、交換が面倒であり、接着剤で窓ガラスが汚れる心配もある。
【０００３】
一方、観葉植物については、この種の装置として、例えば、特許文献１に移動可能な基体とフレーム及び複数本のワイヤを備え、取付け部材を用いて基体にフレームを固定し、フレームの上下横材間にワイヤを張設し、ワイヤに装飾物、植物等の展示物を支持可能としてある展示装置が開示されている。
【先行技術文献】
【特許文献】
【０００４】
【特許文献１】特開２０１４−１４５６３号公報
【考案の概要】
【考案が解決しようとする課題】
【０００５】
特許文献１に記載の展示装置は、特別な取り付け工事なしに自立させて設置でき、衝立様に幅広く植栽を配置できるので、緑化による室内環境の改善に優れるが、植栽装置を収納可能な基体とフレームが一体になっているので、窓台に載せる等窓ガラスに接近させて設置できない。また、窓際に配置するには少し規模が大きすぎるきらいがある。
本考案は、構造が簡単で、建物本体を傷つけることなく容易に窓際へ設置することができ、窓の内外からの窓際装飾効果が高い窓際装飾用枠装置及びこの枠装置を用いた窓際緑化装置の提供を課題とする。
【課題を解決するための手段】
【０００６】
本考案は、建物の窓の室内側であって上部材（上枠材）の下面と左右部材（左右の縦枠材）の側面及び下部材（下枠材）の上面とで形成される方形空間へ、室内側から隙間なく嵌め込まれる方形の枠装置とする。
この方形の枠装置は、上下の横材及び左右の縦材と、隅部結合部材と、ワイヤ係止部材及びワイヤとを備える。横材と縦材の端部が構成する各隅部を前記隅部結合部材で結合して方形の枠体にする。
方形の枠装置の上横材の下面と下横材の上面には、それぞれ複数のワイヤ係止部材を対向して取り付け、上下の対向したワイヤ係止部材間に前記ワイヤをそれぞれ張設する。
そして、前記方形の枠装置の上下の横材、左右の縦材のいずれかであって前記方形空間へ、室内側から隙間なく嵌め込まれる側、例えば、上下の横材の外周面に、前記方形空間を形成する窓の上部材、下部材あるいは左右部材、例えば、上部材、下部材の内周面へ固定するための接着部材を取り付けておく。
【０００７】
前記室内側から隙間なく嵌め込まれる方形の枠装置を構成する上下の横材あるいは左右縦材には、内面（枠の内周面）にレール溝を形成し、これに前記ワイヤ係止部材を、ワイヤ係止部が前記方形空間側となるように配置される。
ワイヤ係止部材は、レール溝に沿っての移動と移動位置での固定が可能なものとするのが望ましい。
前記方形の枠装置における横材と縦材は中空とし、少なくとも上横材と下横材の対、あるいは左右の縦材の対となるものの内面にスリットが長手方向に沿って形成される。スリットとその両側のリブとで前記レール溝が形成される。
そして、前記隅部結合部材は、縦部分と横部分が一体で直角をなす部材であり、縦部分及び横部分のそれぞれにネジ孔が形成され、隅部結合部材の縦部分を縦材の中空部へ挿入し、横部分を横材の中空部へ挿入し、前記ネジ孔へネジを螺合して、前記隅部結合部材により横材と縦材を連結する構造とできる。
【０００８】
この場合、前記隅部結合部材は、縦部分及び横部分の横断面が内面側に突条とその基部の両側に肩部を備えた凸形となる形状である。
突条の幅寸法は前記スリットの幅にほぼ等しく、突出高さは前記両側のリブの肉厚に略等しくしてある。
そして、隅部結合部材の縦部分を縦材の中空部へ挿入して前記突条を前記スリット内に配置し、突条の両側の肩部を前記両側のリブ裏面に係合させる。同様に、横部分を横材の中空部へ挿入して前記突条を前記スリット内に配置し、突条の両側の肩部を前記両側のリブ裏面に係合させる。ついで、前記ネジ孔へネジを螺合して、前記隅部結合部材により横材と縦材を連結する。
本考案の窓際緑化装置は、前記窓際装飾用枠装置にプランターを組み合わせ、プランターに植えた蔓性の観葉植物等を前記窓際装飾用枠装置のワイヤに伝わらせた構成である。
【考案の効果】
【０００９】
本考案の窓際装飾用枠装置及び窓際緑化装置は、部品数が少なく軽量であり、方形の枠装置を窓側の方形空間に室内側から嵌め込んで接着部材で固定するだけで設置できる。
このため、簡単な組み立て説明図くらいがあれば、特別な技術が無くても設置できる。
この時、窓側の部材に何らの加工もしないので、建物を傷つけることなく窓際装飾用枠
装置を設置でき、また、取り外すことができる。このため、賃貸ビルの借室者が前記窓際装飾用枠装置や窓際緑化装置を利用する場合に、退去時の現状復帰に費用を要しない利点がある。
建物の窓の室内側にはほとんど方形空間が存在するので、寸法を合わせればどの窓際にも取付けることができ、また、設置位置の変更なども簡単に行える。
従来の窓ガラスに貼り付けていたポスターなどの装飾部材を飾って室外側からの景観を改善したり、窓際には置くことができなかった観葉植物を窓ガラスに接近させて配置でき、室内側からの景観を改善したりすることができる。
窓のガラス板に近接して配置されるので、観葉植物などの生育環境に優れる。
【図面の簡単な説明】
【００１０】
【図１】窓際装飾用枠装置の設置状態を示す斜視図。
【図２】窓際装飾用枠装置の斜視図。
【図３】ワイヤの他の例を示す側面図。
【図４】隅部結合部材及びネジを示した斜視図。
【図５】図２のａ−ａ箇所断面図。
【図６】縦枠と横枠の結合部の断面図。
【図７】ワイヤ係止部材の側面図。
【図８】窓際装飾用枠装置の設置手順を説明する斜視図。
【図９】窓際緑化装置の斜視図。
【図１０】窓際装飾用枠装置の使用例を示す斜視図。
【図１１】縦枠と横枠の結合部の他の例を示す断面図。
【考案を実施するための形態】
【００１１】
以下、本考案の実施例を図面に基づいて詳細に説明する。
図１は、ビルにおける窓の室内側部分を示しており、窓１の室内側の方形空間２に窓際装飾用枠装置３が嵌め込まれて取り付けられている。
窓１は、建物の開口に固定された窓枠４にガラス板５を嵌め殺しに装着して構成されている。
窓枠４は、上枠材６、下枠材７、左右の縦枠材８，９及び方立１０で構成され、各方立１０間に前記のガラス板５がシール材と共に固定されている。
窓１において窓枠４の室内側面から建物壁の室内側面までは、建物の壁厚に伴う距離があり、この部分に上辺、下辺、および左右辺ともに平坦な化粧板１１が取り付けられている。
【００１２】
また、窓枠４を構成する前記前、後、左、右の枠材６〜９と方立１０は風圧などに対する強度を持たせるために室内外方向（見込み方向）に一定の幅寸法を有しており、前記各枠材６〜９と方立１０は、装着されているガラス板５の面から室内側に張り出している。張出部分の窓開口側面はそれぞれ前記平坦な化粧板１１と略面一とされている。
したがって、窓１の室内側には前記窓枠４を構成する各枠材６〜９の内面と方立１０及び前記上辺、下辺、および左右辺の平坦な化粧板１１により方形の空間２が形成されている。
方形の空間２を区画する上枠材６、下枠材７、左右の縦枠材８，９及び方立１０と上辺、下辺、および左右辺の前記平坦な化粧板１１とを総合して上方部材Ａ、左部材Ｂ，右部材Ｃ及び下方部材Ｄと称することとする。また、これら部材の方形空間２を区画する面を内面と称する。
【００１３】
窓際装飾用枠装置３（図２）は、方形枠１２と複数のワイヤ１３及び係止部材１４を備える。
前記方形枠１２は、アルミ合金の押出成形材から前記方形空間２の内法寸法に合わせて切り出した上横枠１５、下横枠１６、左縦枠１７及び右縦枠１８を方形に組み付け、横枠１５，１６と縦枠１７，１８の端部が構成する隅部を隅部結合部材１９（図４）で結合してある。
前記上横枠１５（図５）は、この実施例の断面として、肉厚約１．２ｍｍ、外形の高さ寸法３２ｍｍ、幅寸法３０ｍｍであって上壁２０、下壁２１、左壁２２及び右壁２３を有する基本的に断面が長方形となる形態である。そして、左壁２２と右壁２３間に中壁２４を有し、各枠１５〜１８の内部（中空部）が小区画部２６と大区画部２７に区画されている。また、下壁２１は中央に枠材の長手方向に沿ったスリット２５が形成されており、下壁２１は左右のリブ２８，２９に分断されている。この実施例において、上壁２０も同様であってスリット２０ａが枠材の長手方向に沿って形成され、左右のリブに分断されている。
なお、他の枠、すなわち、下横枠１６、左右の縦枠１７，１８の断面形態は、前記上横枠１５と縦、横、左、右の方向は異なるが同じ断面形態である。
【００１４】
前記隅部結合部材１９は、縦部分３０と横部分３１が一体で直角をなすよう屈曲された中実の鋳物金具であり、縦部分３０及び横部分３１の横断面は、屈曲された内側の面に突条３２を長手方向に有しその基部の両側が肩部３３となった凸形の形態である。
突条３２の幅寸法は前記スリット２５の幅にほぼ等しく、突出高さは両側のリブ２８，２９の肉厚に略等しくされている。肩部３３は、金具の縦部分３０と横部分３１が接合する箇所において縦部分から横部分へ連続しておらず、横方向の溝３４と縦方向の溝３５とで分離されている（図４）。この横方向の溝３４と縦方向の溝３５は幅が前記押出成形材の肉厚であり、深さは肩部３３の左右方向寸法である。また、これらの溝３４，３５は隅部結合部材１９の正面側、背面側の双方に形成されている。
さらに、前記の縦部分３０及び横部分３１のそれぞれにネジ３６を縦部分３０の内面と直交する方向に、あるいは横部分３１の内面と直交する方向に、それぞれねじ込むためのネジ孔３７が２個ずつ形成されている。
【００１５】
左縦枠１７の上端から前記の隅部結合部材１９の小区画部２６（中空部）へ縦部分３０を挿し込み、ついで、隅部結合部材１９の横部分３１へ上横枠１５の端部を小区画部分２６で挿し込む（図６）。隅部結合部材１９を挿し込んだ状態で、左縦枠１７の上端面と上横枠１５の上面とが一致するように上横枠１５を移動させ、ネジ３６をネジ孔３７にそれぞれネジ込み、ネジ３６の先端を中壁２４に当接させる。
ネジ３６をねじ込むと隅部結合部材１９の肩部３３が左右のリブ２８，２９に当たり、ネジ３６による突っ張り作用によって隅部結合部材１９と左縦枠１７と上横枠１５の隅部がいわゆる縦通しで結合される。
この場合、左縦枠１７の内面側のリブ２８，２９は隅部結合部材１９の横部分３１における縦方向の溝３５に入り込み、肩部３３とは衝突しない。
また、隅部結合部材１９の突条３２は前記スリット２５と長手方向へ隙間なく嵌合するので、方形枠１２は隅部結合部材１９によって、面内方向の変形（歪）が防止されると共に面外方向の変形（ひねり）も防止される。
【００１６】
方形枠１２において、他の縦枠と横枠間の隅部も同様にして結合する。なお、実施例におけるネジ３６はいわゆるイモネジであり、頭部が無く、工具掛け部をネジ孔３７の内部へ沈めることができる。
このようにして完成した方形枠１２は、その素材である押出成形材の縦横寸法が小さくても変形の生じにくい確固とした枠となる。そして、その内周面には前記のスリット２５が一巡して配置されることになる。
なお、一巡するのは同じ押出成形材から各枠を切り出しているからであり、この実施例においては、少なくとも上横枠１５と下横枠１５の内面にスリット２５が存在しておればよい。
方形の枠１２の隅部は内周面に突出物がなく体裁がよい。
【００１７】
ワイヤ係止部材１４（図７）は、フックボルト３８、ナット３９、押さえバネ４０、ワッシャ４１及び裏当て板４２とで構成されている。
フックボルト３８は、先端部をフック部４３（ワイヤ係止部）、基部をネジ部４４としてあり、ネジ部４４にナット３９が螺合されている。フックボルト３８はアイボルトのこともある。
ナット３９の上部に押さえバネ４０が装着され、その上にワッシャ４１が嵌め込まれている。押さえバネ４０はその径がナット３９やワッシャ４１の径よりも小さく、また、ワッシャ４１の径は上横枠１５及び下横枠１６におけるスリット２５の幅よりも大きい。
裏当て板４２は、フックボルト３８のネジ部４４の上端にねじ込まれ回転不能に固定された板部材であり、幅寸法が前記スリット２５の幅よりも小さく、長さ寸法は前記スリット２５の幅よりも大きい。すなわち、裏当て板４２は、その長手方向をスリット２５の長手方向に合わせると、スリット２５から上横枠１５あるいは下横枠１６の小区画部２６へ進入せることができ、進入させた後に９０°回転させると両側のリブ２８，２９の裏面へ係合させることができる。
裏当て板４２は長手方向の中央部が横断方向に低くなった凹所４５となっている。凹所４５の幅は前記スリット２５の幅分であり、深さは前記リブ２８，２９の肉厚分である。
【００１８】
ワイヤ係止部材１４は、上横枠１５と下横枠１６のスリット２５へそれぞれ同じ数（必要な数）を装着する。
装着は、あらかじめ、ナット３９をフック部４３側へ緩めておいてから、前記のように裏当て板４２の長手方向をスリット２５の長手方向に合わせてフックボルト３８を押し込む。すると、ワッシャ４１はスリット２５を通過できないので、押さえバネ４０を圧縮しながら裏当て板４２が上横枠１５と下横枠１６の小区画部２６へ進入する。そして、その状態で裏当て板４２を９０°回転させて手を離せば裏当て板４２は両側のリブ２８，２９の裏面に係合する。この時、裏当て板４２の前記凹所４５はスリット２５に嵌り込み回り止めされる。
【００１９】
この状態は、ワッシャ４１と裏当て板４２とでリブ２８，２９を挟み込み、押さえバネ４０の付勢で締め付けている状態であり、これら部材間の摩擦により、ワイヤ係止部材１４は移動されたその位置に仮止めされる。仮止めはナット３９を締め付けることで本固定となる。本固定は押しつぶした押さえバネ４０を介してワッシャ４１を強圧してもよいし、図７に破線で示すように、押さえバネ４０をナット３９の上面に設けた凹所に納め、ナット３９で直接に、ワッシャ４１を強圧するようにしてもよい。
下横枠１６のスリット２５に対しても同様にしてワイヤ係止部材１４を取り付けることができる。
したがって、このワイヤ係止部材１４は、上横枠１５あるいは下横枠１６の長手方向においてどの位置からでも脱着ができ、また、任意の位置に移動させて固定することができる。
【００２０】
ワイヤ１３は、細いステンレス線の撚線に樹脂線材を螺旋状に巻き付けたスパイラル線であり、前記方形枠１２の上横枠１５と下横枠１６に対向させて取付けた前記のワイヤ係止部材１４間に張設する（図２）。ワイヤ１３は係止部材１４間に張設する線材の一例であって、紐や透明なテグス等であってもよい。あるいは、図３のように、スパイラル線１３ａの上端にフック１３ｂを、下端にバネフック金具１３ｃを取り付けたワイヤ１３ｄであってもよい。ワイヤ１３ｄを使用すると、ワイヤ１３ｄ自体にバネフック金具１３ｃによる伸縮性があることから、上下のワイヤ係止部材１４を単にスライドが可能な簡単な構造のものにしても前記バネフック金具１３ｃの付勢に基づく上下の横材１５，１６とワイヤ係止部材１４との摩擦により、ワイヤ１３ｄの位置を維持することができる。また、取付けたままで移動もできる。さらに、ワイヤ１３ｄを常時、緊張状態に維持しやすい。
そして、方形枠１２における上横枠１５の外面（上面）に方形枠１２を前記窓１の方形空間２に取付けるための接着部材４６を少なくとも２か所に取付ける。接着部材としては両面接着材が好適である。また、下横枠１６の外面（下面）には柔軟な樹脂のクッション材４７を少なくとも２か所に取付ける。クッション材４７は厚さ５ｍｍ程度である。
以上で、窓際装飾用枠装置３が完成する。
【００２１】
この窓際装飾用枠装置３は簡単な工具で組立てることができるので、これを設置する現場で組み立てる。
そして、まず、方形枠１２の下横枠１６を前記窓１の内側である方形空間２の下方部材Ｄの上面に前記クッション材４７を介して窓枠４の下枠材７に近づけて載置する（図８）。ついで、前記下横枠１６を支点としてクッション材４７を圧迫する要領で方形枠１２を上方へ回転させ、方形枠１２の全体を方形空間２に嵌め込む。
嵌め込み完了状態は、方形枠１２の少なくとも上下が前記方形空間２の上辺と下辺間にほぼ隙間なく嵌りこむ状態が良い。このようにすることで、持ち上げた方形枠１２の上横枠１５の外面に取付けた接着部材４６は、方形枠１２を嵌め込むと同時に方形空間２の上方部材Ａの下面に取付けられる。この際、下横枠１６の外面に取付けたクッション材４７がもとに戻る作用で方形枠１２を上方へ押し上げるので、固定状態はさらに良好に維持される。
【００２２】
前記窓際装飾用枠装置３は、窓１の室内側に存在する方形空間２に装着して種々な用途に利用することができる。
窓際緑化装置４９（図９）はそのひとつであり、前記の窓際装飾用枠装置３にプランター５０を組み合わせたものである。
プランター５０は、窓際装飾用枠装置３とほぼ同幅で、上面が開口した箱体であり、内部に観葉植物等を栽培するための培養土、栽培用ポッド等を収容できるようになっている。また、プランター５０の上面は、植物が延び出るための孔５１を有する蓋５２で覆い、灌水時の跳ね飛びや土臭の拡散を防止し、外観を整えることができる。
【００２３】
プランター５０は、窓１の方形空間２に嵌め込んだ窓際装飾用枠装置３の室内側下部に幅方向に沿って設置する。そして、プランター５０から伸びた蔓性植物、蔦類等の観葉植物５３を窓際装飾用枠装置３のワイヤ１３に伝わらせて、窓際を緑化する。
実際、緑化装置による緑化は見た目の改善ばかりでなく、ビジネス空間において窓からの陽光を背に受ける人の日除け対策ともなる。
なお、観葉植物等は窓際においていわゆる癒し効果のある植物であればよく、葉の鑑賞ばかりでなく、花が咲くもの、実がなるものなども包含する。ビルの窓際で行ったこの装置の実験ではパッションフルーツが生育し、いくつかの実を付けた。
このようにして、建物の窓際を速やかに緑化することができる。
観葉植物５３を伝わらせた窓際緑化装置４９は窓１の室内側における方形空間２に納まるので、室内を移動する人の邪魔にならない。
【００２４】
図１０において、（イ）は窓際の方形空間２に窓際装飾用枠装置３を取付け、これに図形デコレーションを施した例であり、（ロ）は窓際に電飾を施した例である。また、同図の（ハ）は、窓１におけるガラス板５の室内側面を清掃する際に窓際装飾用枠装置３のワイヤ１３を左右の一方に集めた状態であり、窓際装飾用枠装置３を取り外すことなくガラス板５の清掃が可能である。この場合、ワイヤ係止部材１４におけるナット３９は、完全に締め付けることなく上横枠１５、下横枠１６との係合を押さえバネ４０の付勢によるワッシャ４１とリブ２８，２９及び裏当て板４２との摩擦だけで、ワイヤ係止部材１４が上横枠１５、下横枠１６に係止されているようにしておく。
なお、消防隊進入口とされている窓の室内側に窓際装飾用枠装置３を配置したとしても、前記のように、ワイヤ１３を移動させることができるので格別な支障はない。仮に、障害物となるようなことがあっても蹴り飛ばすことによって簡単に外すことができるので、やはり格別な支障はない。
また、窓際装飾用枠装置３を構成する方形枠１２の内部にＬＥＤを配置し、簡単な配線をすることによって、夜間に方形枠１２の内周からワイヤ１３に取付けたデコレーションや観葉植物を幻想的に浮き上がらせることもできる。このような窓際の光は、犯罪者の進入を抑制する効果もある。
【００２５】
以上、実施例を説明したが、方形空間２に対する方形枠１２の取付態様は、前記のように、上横枠１５、下横枠１６の対を方形空間２の上下内法寸法に合わせる態様の他に、左縦枠１７と右縦枠１８の対を前記方形空間２の左右内法寸法に合わせる態様及び上下左右の内法寸法を合わせる態様のいずれでもよい。
ワイヤ１３の張設方向は上下方向ばかりでなく、左右方向とすることもある。
方形枠１２に外力は作用しないので、方形空間２に対する方形枠１２が倒れ掛かってこない程度でよく、脱着に便利なように比較的弱いものでよい。
また、方形空間２に対する方形枠１２の取付けは前記のような両面接着材に限らず、例えば、方形枠１２の上横枠１５から上方へ突出させ上方部材Ａとの突っ張りで固定を達成するネジ式のアジャスタなどによる手段であってもよい。しかし、アジャスタの上方部材Ａとの当接部など、当接部はクッション材にするなど当接部の建物側を凹ませたり、傷付けたりしないよう注意を要する。
【００２６】
隅部結合部材１９は、金属の平板を直角に曲げた隅金物４８（図１１）と皿頭ビス・ナットの組み合わせであってもよい。図は上横枠１５、下横枠１６の外周側の壁（上壁２０）にスリット２０ａが形成されていない場合であって、この場合、図４の上壁２０にナットをねじ込むための工具を挿通させる孔５１を設ける必要がある。
前記実施例の上横枠１５、下横枠１６の外周側の壁にスリット２０ａが形成されている場合は、スリット２０ａを利用して外周側からナットをねじ込むことができる。
前記室内側の方形空間２にブラインドが配置される窓１では、通常、窓１のガラス板５とブラインドとの間に大きなスペースがあり、窓際装飾用枠装置３を設置するのに充分である。この場合、窓際装飾用枠装置３が設置されていても従前と同様にブラインドを昇降させることができる。
窓際装飾用枠装置３におけるワイヤ１３の本数と間隔は観葉植物の種類やワイヤ１３を利用する装飾物の大きさや重さなどに応じて適宜定める。
【符号の説明】
【００２７】
Ａ      上方部材
Ｂ，Ｃ  左右部材
Ｄ      下方部材
１      窓
２      方形空間
３      窓際装飾用枠装置
４      窓枠
５      ガラス板
６      上枠材
７      下枠材
８      左枠材
９      右枠材
１０    方立
１１    化粧板
１２    方形枠
１３    ワイヤ
１３ａ  スパイラル線
１３ｂ  フック
１３ｃ  バネフック金具
１３ｄ  ワイヤ
１４    ワイヤ係止部材
１５    上横枠
１６    下横枠
１７    左縦枠
１８    右縦枠
１９    隅部結合部材
２０    上壁
２０ａ  スリット
２１    下壁
２２    左壁
２３    右壁
２４    中壁
２５    スリット
２６    小区画部
２７    大区画部
２８    左リブ
２９    右リブ
３０    縦部分
３１    横部分
３２    突条
３３    肩部
３４    横方向の溝
３５    縦方向の溝
３６    ネジ
３７    ネジ孔
３８    フックボルト
３９    ナット
４０    押さえバネ
４１    ワッシャ
４２    裏当て板
４３    フック部
４４    ネジ部
４５    凹所
４６    接着部材
４７    クッション材
４８    隅金物
４９    窓際緑化装置
５０    プランター
５１    孔
５２    蓋
５３    観葉植物
【図１】
0003200812.tif 000003
【図２】
0003200812.tif 000004
【図３】
0003200812.tif 000005
【図４】
0003200812.tif 000006
【図５】
0003200812.tif 000007
【図６】
0003200812.tif 000008
【図７】
0003200812.tif 000009
【図８】
0003200812.tif 000010
【図９】
0003200812.tif 000011
【図１０】
0003200812.tif 000012
【図１１】
0003200812.tif 000013